(57)【要約】【課題】スリップリング軸に防振材を取り付けることなく、スリップリングの寿命を延ばすことができる監視カメラを得ることを目的とする。【解決手段】カメラ部７が回転していない静止状態では、シャフト５の嵌合穴とスリップリング軸４ａが非接触の状態を維持するように、シャフト５の嵌合穴のサイズをスリップリング軸４ａのサイズより大きくする。これにより、スリップリング４のスリップリング軸４ａに防振材を取り付けることなく、スリップリング４の寿命を延ばすことができるようになる。【選択図】図１
2007201817.tif 000002
【特許請求の範囲】
【請求項１】
カメラケースに固定されたベース部と、上記ベース部に固定されたスリップリングと、上記スリップリングのスリップリング軸が嵌め込まれる嵌合穴を有するシャフトと、上記シャフトに固定され、上記シャフトを軸にして回転するカメラ部とを備えた監視カメラにおいて、上記カメラ部が回転していない静止状態では、上記シャフトの嵌合穴と上記スリップリング軸が非接触の状態を維持するように、上記シャフトの嵌合穴のサイズを上記スリップリング軸のサイズより大きくしていることを特徴とする監視カメラ。
【発明の詳細な説明】
【技術分野】
【０００１】
この発明は、回転機構を有するカメラ部とベース部間の電気信号をスリップリングが仲介する監視カメラに関するものである。
【背景技術】
【０００２】
回転機構を有する監視カメラでは、カメラ部とベース部間の電気信号を仲介する装置としてスリップリングを用いるのが一般的である。
即ち、監視カメラのベース部にスリップリングを固定し、そのスリップリングのスリップリング軸をカメラ部が固定されているシャフトの嵌合穴に嵌め込むようにしている。
これにより、カメラ部の回転に伴ってシャフトが回転すると、シャフトの嵌合穴に嵌め込まれているスリップリング軸がシャフトと一体的に回転する。
この際、スリップリング軸に取り付けられているスリップ部がブラシ（ブラシはベース部と電気的に接続されている）と摺動しながら回転するため、カメラ部が回転しても、そのカメラ部とベース部間の電気的導通状態を維持することができる（例えば、特許文献１，２を参照）。
【０００３】
従来の監視カメラでは、カメラ部が回転していない静止状態のとき、例えば、天井などの設置部位から微小な振動を受けると、その振動がスリップリングのスリップリング軸に伝わるが、そのスリップリング軸がシャフトに固定されているので、そのスリップリング軸に無理な力が作用することがある。
無理な力がスリップリング軸に作用すると、スリップ部とブラシの擦れが発生して、スリップリングの寿命が短くなることがある。
そこで、スリップリング軸に防振材を取り付けて、防振材が微小な振動を吸収するようにしているスリップリング装置が開発されている（例えば、特許文献３を参照）。
ただし、防振材が経年変化して防振機能が低下すると、微小な振動を十分に吸収することができない。また、防振材の材質によっては微小な振動を十分に吸収することができない。したがって、スリップリング軸に防振材を取り付けても、スリップリングの寿命が短くなることがある。
【０００４】
【特許文献１】特開２０００−４３８４号公報（図１）
【特許文献２】特開平５−３２６０９５号公報（図１）
【特許文献３】特開平６−１２４７５７号公報（図１）
【発明の開示】
【発明が解決しようとする課題】
【０００５】
従来の監視カメラは以上のように構成されているので、スリップリング軸に防振材を取り付けても、その防振材が経年変化して防振機能が低下すると、微小な振動を十分に吸収することができず、スリップリングの寿命が短くなることがあるなどの課題があった。
【０００６】
この発明は上記のような課題を解決するためになされたもので、スリップリング軸に防振材を取り付けることなく、スリップリングの寿命を延ばすことができる監視カメラを得ることを目的とする。
【課題を解決するための手段】
【０００７】
この発明に係る監視カメラは、カメラ部が回転していない静止状態では、シャフトの嵌合穴とスリップリング軸が非接触の状態を維持するように、シャフトの嵌合穴のサイズをスリップリング軸のサイズより大きくするようにしたものである。
【発明の効果】
【０００８】
この発明によれば、カメラ部が回転していない静止状態では、シャフトの嵌合穴とスリップリング軸が非接触の状態を維持するように、シャフトの嵌合穴のサイズをスリップリング軸のサイズより大きくするように構成したので、スリップリング軸に防振材を取り付けることなく、スリップリングの寿命を延ばすことができる効果がある。
【発明を実施するための最良の形態】
【０００９】
実施の形態１．
図１はこの発明の実施の形態１による監視カメラを示す分解図であり、図２はこの発明の実施の形態１による監視カメラの要部を示す断面図である。また、図３は図２のＡ−Ａ断面図である。
図において、カメラケース１は例えば天井などに取り付けられている。
ベース部２はカメラケース１に固定され、例えば、電源部３から供給される電力をカメラ部７に供給するための電気回路、モータ８を制御する制御信号（電気信号）を出力する電気回路、カメラ部７から出力される映像信号（電気信号）を図示せぬモニタなどに出力する電気回路などを内蔵している。
【００１０】
スリップリング４はベース部２に固定されており、カメラ部７の回転に伴って回転するスリップリング軸４ａを有している。
スリップリング４のスリップリング軸４ａには図示せぬスリップ部（スリップ部はスリップリング４に内蔵されている）が取り付けられており、スリップリング軸４ａの回転に伴ってスリップ部がスリップリング４内のブラシと摺動しながら回転する。
なお、スリップリング軸４ａの形状は、スリップリング軸４ａがシャフト５と一体的に回転できるようにするため、図３に示すように、Ｄカット状に形成されている。
【００１１】
シャフト５はスリップリング４のスリップリング軸４ａが嵌め込まれる嵌合穴を有する軸５ａを備えている。
軸５ａの嵌合穴の形状は、図３に示すように、Ｄカット状に形成されているが、カメラ部７が回転していない静止状態では、スリップリング軸４ａと接触しない状態を維持するため、軸５ａの嵌合穴のサイズがスリップリング軸４ａのサイズより大きい。
なお、空間部６はカメラ部７が回転していない静止状態のとき、シャフト５の軸５ａとスリップリング軸４ａ間に生じる間隙である。
【００１２】
カメラ部７はシャフト５に固定されており、モータ８の回転に伴ってシャフト５を軸にして回転する。
なお、カメラ部７はカメラなどを有しており（図５を参照）、そのカメラなどがスリップリング軸４ａの内部に配線されているリード線（リード線は、スリップリング４内のスリップ部及びブラシを介して、ベース部２内の電気回路と電気的に接続されている）と接続されている（図６を参照）。
【００１３】
モータ８はカメラ部７に取り付けられており、図４に示すように、モータ８の回転軸８ａにはモータプーリー８ｂが取り付けられ、モータプーリー８ｂにはタイミングベルト９が巻き付けられている。
タイミングベルト９はモータ８のモータプーリー８ｂとプーリー１０に巻き付けられており、モータ８の回転軸８ａが回転すると、その回転力をプーリー１０に伝達することにより、カメラ部７を回転させる。
プーリー１０はベース部２に固定されており、シャフト５の軸５ａとの間にはベアリング１１が設置されている。
なお、カメラ部７は透明又は半透明の樹脂製のドームカバー１２に覆われている。
【００１４】
次に動作について説明する。
カメラ部７に取り付けられているモータ８の回転軸８ａが回転を開始すると、その回転軸８ａの先端のモータプーリー８ｂに巻き付けられているタイミングベルト９が回転するため、モータ８の回転力がプーリー１０に伝達される。
このとき、プーリー１０はベース部２に固定されているため、モータ８が取り付けられているカメラ部７がシャフト５を軸にして、プーリー１０の回りを回転する。
【００１５】
カメラ部７が回転を開始すると、シャフト５がカメラ部７と一体的に回転を開始するが、図３に示すように、スリップリング４のスリップリング軸４ａがシャフト５の軸５ａの嵌合穴に嵌め込まれているので、スリップリング４のスリップリング軸４ａも一体的に回転を開始する。
ここで、スリップリング軸４ａの内部には、スリップリング４内のスリップ部及びブラシを介して、ベース部２内の電気回路と電気的に接続されているリード線が配線されており、このリード線は、図５及び図６に示すように、カメラ部７内のカメラやモータ８などと電気的に接続されている。
【００１６】
一方、カメラ部７に取り付けられているモータ８が停止している静止状態では、図３に示すように、シャフト５の軸５ａの嵌合穴のサイズがスリップリング軸４ａのサイズより大きいため、シャフト５の軸５ａとスリップリング軸４ａ間に空間部６が生まれ、シャフト５の軸５ａとスリップリング軸４ａが非接触の状態を維持する。
このため、例えば、天井などの設置部位からカメラケース１が微小な振動を受け、ベース部２を介して、スリップリング４が微小な振動を受けても、モータ８が停止している静止状態では、スリップリング軸４ａがシャフト５に固定されていないため、そのスリップリング軸４ａに無理な力が作用することがない。
したがって、スリップリング４におけるスリップ部とブラシの擦れが発生しないため、スリップリングの寿命が短くなる状況が発生しない。
【００１７】
以上で明らかなように、この実施の形態１によれば、カメラ部７が回転していない静止状態では、シャフト５の嵌合穴とスリップリング軸４ａが非接触の状態を維持するように、シャフト５の嵌合穴のサイズをスリップリング軸４ａのサイズより大きくするように構成したので、スリップリング軸４ａに防振材を取り付けることなく、スリップリング４の寿命を延ばすことができる効果を奏する。
【００１８】
なお、寿命によりスリップリングを交換する必要がある場合、従来の監視カメラでは、スリップリングがシャフトを介してカメラ部と固定されているため、カメラ部の回転精度を保持するためには、カメラ部を駆動するタイミングベルトなどを再調整する必要があり、多くの作業時間を要する。
しかし、この実施の形態１では、スリップリング４のスリップリング軸４ａがカメラ部７と固定されていないため、カメラ部７を駆動するタイミングベルト９などを再調整する必要がない。よって、スリップリング４だけを交換すればよく、短時間で作業を終えることができる。
【図面の簡単な説明】
【００１９】
【図１】この発明の実施の形態１による監視カメラを示す分解図である。
【図２】この発明の実施の形態１による監視カメラの要部を示す断面図である。
【図３】図２のＡ−Ａ断面図である。
【図４】カメラ部の回転機構を示す説明図である。
【図５】この発明の実施の形態１による監視カメラの電気的接続を示す説明図である。
【図６】この発明の実施の形態１による監視カメラのスリップリングの詳細を示す断面図である。
【符号の説明】
【００２０】
１  カメラケース、２  ベース部、３  電源部、４  スリップリング、４ａ  スリップリング軸、５  シャフト、５ａ  シャフトの軸、６  空間部、７  カメラ部、８  モータ、８ａ  回転軸、８ｂ  モータプーリー、９  タイミングベルト、１０  プーリー、１１  ベアリング、１２  ドームカバー。
【図１】
2007201817.tif 000003
【図２】
2007201817.tif 000004
【図３】
2007201817.tif 000005
【図４】
2007201817.tif 000006
【図５】
2007201817.tif 000007
【図６】
2007201817.tif 000008